(57)【特許請求の範囲】
【請求項１】
前身頃と、後身頃と、前記前身頃と前記後身頃との間に位置するクロッチ部と、腰天に形成された開口部と、少なくとも股間部よりも下の位置で脚部周りに装着される一対の股下部とを備えた本体およびこの本体に取り付けられる補助部材を有し、
前記本体の前記クロッチ部には、前記本体の一部を構成する股布と、前記股布の内側に設けられて前端部と後端部が前記本体に連結された装着布とを有し、
前記補助部材は、前記股布と前記装着布との間に着脱自在に挟まれる中間部と、前記中間部の両側に位置して前記装着布よりも左右外側に突出する突出部とを有しており、
前記突出部の縦方向の寸法が、前記中間部の縦方向の寸法よりも長く、且つ突出部の縦方向の寸法が前記装着布の縦方向の寸法よりも長いことを特徴とする外装体。
【請求項２】
前記股下部に脚ぐり部が開口しており、前記本体が身体に着用されたときに、前記クロッチ部から前記腰天までの股上丈よりも、脚ぐり部の内股側の縁部から前記腰天までの身丈の方が長く、着用時に前記補助部材の前記突出部が身体の内股部に当たる請求項１記載の外装体。
【請求項３】
前記補助部材の前端側と後端側の少なくとも一方に、対を成す乗り上げ部が設けられており、前記対を成す乗り上げ部の対向間隔が、前記中間部の幅寸法よりも狭く形成されている請求項１または２記載の外装体。
【請求項４】
前身頃と、後身頃と、前記前身頃と前記後身頃との間に位置するクロッチ部と、腰天に形成された開口部と、少なくとも股間部よりも下の位置で脚部周りに装着される一対の股下部とを備えた外装体の本体に取り付けられて使用される補助部材において、
前記本体のクロッチ部の中央部に着脱自在に取り付けられる中間部と、前記中間部の左右両側に位置して、着用時に着用者の内股部に設置される一対の突出部とを有し、前記突出部の縦方向の寸法が、前記中間部の縦方向の寸法よりも長いことを特徴とする補助部材。
【請求項５】
前端側と後端側の少なくとも一方に、対を成す乗り上げ部が設けられており、前記対を成す乗り上げ部の対向間隔が、前記中間部の幅寸法よりも狭く形成されている請求項４に記載の補助部材。
【発明の詳細な説明】
【０００１】
【発明の属する技術分野】
本発明は、生理用ナプキンなどの体液吸収性物品の着用に適した外装体に係り、特に外装体からの体液の横洩れの防止効果を高めた外装体および前記外装体に取り付けられる補助部材に関する。
【０００２】
【従来の技術】
体液吸収性物品である生理用ナプキンには、受液側の両側部に防漏壁が設けられたものがある。この生理用ナプキンは、前記防漏壁を着用者の身体に密着させることにより、排泄された経血の横洩れを前記防漏壁で防止しようというものである。しかし、前記生理用ナプキンを着用した状態で体を動かしたときに、前記防漏壁と着用者の股間部との間に隙間が形成されるのを避けることができず、経血の横洩れを完全に防止することが難しく、衣服を汚す不安がある。
【０００３】
就寝時の着用に適したものとして、縦方向の寸法が２８０から３８０ｍｍの、長い生理用ナプキンも使用されている。この生理用ナプキンは後方部分が着用者の臀部に当たることにより、就寝時での臀部方向への液洩れを防止しやすい。しかし、この生理用ナプキンも経血の横洩れに対しては前記生理用ナプキンと同様に不安が生じる。
【０００４】
また、生理用ナプキンには左右にウイング部が突出したものがあり、前記ウイング部を下着のクロッチ部の側部に巻きつけて下着のクロッチ部の外面に感圧接着剤層により固定し、これに加えて生理用ナプキンの裏面を感圧接着剤層を介して下着のクロッチ部の内面に固着させることにより、下着に対する生理用ナプキンの位置ずれを防止したものがある。しかし、このような使用法では、下着のクロッチ部が股間部からずれたときに、生理用ナプキンが一緒に動いてしまい、その結果、身体の股間部と生理用ナプキンとの隙間が発生して、横洩れの原因となる。
【０００５】
前記生理用ナプキンからの経血の横洩れを防止する手段として、下着として使用される外装体の構造を工夫して経血が外装体の外へ洩れないようにしたものが存在している。
【０００６】
例えば、特開２００１−７９０３９号公報には、脚ぐり部が股間部よりも下側で大腿部周りに位置するようにした比較的身丈の長い生理用ショーツが開示されている。
【０００７】
前記生理用ショーツには、身体の左右の内股部分に当たる部分にそれぞれ１つずつの当て布が設けられている。そして、生理用ナプキンの両側縁部が前記当て布の領域内に位置するように構成され、生理用ナプキンの両側縁部から横洩れした経血が前記当て布によって吸収され且つ拡散されて、経血が生理用ショーツの外部に漏れることを防止できるようにしている。
【０００８】
【発明が解決しようとする課題】
しかし、前記特開２００１−７９０３９号公報に開示されている生理用ショーツでは、一対の当て布がショーツ本体のクロッチ部から内股部にかけての領域に縫い付けられて固定されている。したがって、身体に装着した状態で、前記当て布を必ずしも身体の最適な位置に設置できない。
【０００９】
すなわち、前記生理用ショーツを生理用ナプキンと共に着用したときには、体型の違い、または着用者の姿勢や動作などの生活パターンなどに応じて、生理用ナプキンからの経血の横洩れの不安を感じる箇所がまちまちであるが、前記のように当て布がショーツ本体に固定されているものであると、当て布を横洩れの不安のある箇所に設置することができず、常に横洩れの不安を伴うようになる。
【００１０】
さらに、前記当て布はショーツ本体に固定されているため、例えば排泄量が少なく前記当て布を必要としないときに、当て布を外して使用することができない。排泄量が少ないときに当て布を取り外さずに使用していると、不必要な蒸れを生じさせることになる。また当て布をショーツ本体から外して当て布だけを洗濯することも不可能である。
【００１１】
また、体液吸収性物品を着用しているときの問題点は、前記生理用ナプキンに限られず、失禁患者用の尿取りパッドを股間部に着用して身体を動かしたときにも同様にして生じる。
【００１２】
本発明は上記従来の課題を解決するものであり、着用時に体液吸収性物品から横洩れした排泄液を確実に止めることができ、また汚れが付着しやすい部分を簡単に取り外すことができる外装体およびこの外装体に取り付けられる補助部材を提供することを目的としている。
【００１３】
【課題を解決するための手段】
本発明は、身体に着用される本体およびこの本体に取り付けられる補助部材を有する外装体と、さらに前記本体に取り付けられるための補助部材単体をその要旨とするものである。
【００１４】
まず、本発明外装体は、前身頃と、後身頃と、前記前身頃と前記後身頃との間に位置するクロッチ部と、腰天に形成されたウエスト開口部と、少なくとも股間部よりも下の位置で脚部周りに装着される一対の股下部とを備えた本体およびこの本体に取り付けられる補助部材を有し、
前記本体の前記クロッチ部には、前記本体の一部を構成する股布と、前記股布の内側に設けられて前端部と後端部が前記本体に連結された装着布とを有し、
前記補助部材は、前記股布と前記装着布との間に着脱自在に挟まれる中間部と、前記中間部の両側に位置して前記装着布よりも左右外側に突出する突出部とを有しており、
前記突出部の縦方向の寸法が、前記中間部の縦方向の寸法よりも長く、且つ突出部の縦方向の寸法が前記装着布の縦方向の寸法よりも長いことを特徴とするものである。
【００１５】
本発明の外装体は、補助部材が股布と装着布との間に挟まれて装着されている。生理用ナプキンなどの体液吸収性物品は、前記装着布を基準として装着されるため、着用時に体液吸収性物品と補助部材との相対位置がずれることが少なく、体液吸収性物品から横洩れした排泄液が前記補助部材の突出部により確実に止められるようになる。また、外装体内で補助部材を動かすことができるため、体液吸収性物品からの横洩れの不安のある箇所に補助部材を適正に設置することができ、横洩れの不安を防止できる。さらに、排泄液が少ないときなどは前記補助部材を外して着用することができ、前記補助部材のみを取り外して洗濯などすることもできる。
【００１６】
例えば、前記外装体の形状は、前記股下部に脚ぐり部が開口しており、前記本体が身体に着用されたときに、前記クロッチ部から前記腰天までの股上丈よりも、脚ぐり部の内股側の縁部から前記腰天までの身丈の方が長く、着用時に前記補助部材の前記突出部が身体の内股部に当たるものである。
【００１７】
ただし、前記脚ぐり部は、大腿部よりも下方の例えば膝上まであるいは足首近くまで延びているものであってもよい。さらには前記股下部が、脚に装着されるレッグ部と、前記レッグ部の先部に一体に形成されたフート部を有するパンティストッキング形状またはタイツ形状であってもよい。
【００１８】
これら外装体において、前記補助部材の突出部が内股部に当たることにより、体液吸収性物品から横洩れした排泄液を前記補助部材の突出部により確実に止めることができる。
【００１９】
また、前記補助部材の少なくとも前記突出部に、クッション材が設けられているものが好ましい。
【００２０】
前記突出部がクッション材を有していると、前記突出部が身体の内股部に密着し排泄液の洩れ防止効果を高くできる。また、前記クッション材が液の吸収能力を有していると、体液吸収性物品から横洩れした体液を前記突出部で確実に止めることができるようになる。
【００２２】
また、股布と装着布との間に中間部が挟まれた状態で、突出部が装着布の両側に突出し、装着布が両突出部の間に挟まれた状態となり、本体に対する補助部材を確実に保持できる。
【００２３】
または、前記補助部材の前端側と後端側の少なくとも一方に、対を成す乗り上げ部が設けられており、前記対を成す乗り上げ部の対向間隔が、前記中間部の幅寸法よりも狭く形成されているものであってもよい。
【００２４】
この構成では、補助部材の中間部と乗り上げ部とで前記装着布を挟み込むことができ、補助部材をクロッチ部に確実に保持できる。
【００２５】
前記補助部材の前記股布側に向けられる第２の表面は、液不透過性であることが好ましい。
【００２６】
この構成では、突出部に排泄液が及んだときに、ショーツ本体が排泄液で汚れるのを防止できる。
【００２７】
さらに、前記補助部材の前記装着布側に向けられる第１の表面は、親水性であることが好ましい。
【００２８】
この構成では、体液吸収性物品から横洩れした液を補助部材の突出部で確実に止めることができる。
【００２９】
また、前記補助部材の前記中間部に、肉厚部が設けられていると、この肉厚部が体液吸収性物品の中央部分を股間部に押し当てるように機能し、体液吸収性物品が股間部に密着しやすくなる。
【００３０】
また、前記補助部材の突出部の、前記装着布側に向けられる第１の表面と、前記股布側に向けられる第２の表面の少なくとも一方に、ずれ止め部が設けられているものであってもよい。
【００３１】
前記ずれ止め部が設けられていると、補助部材の突出部が身体の内股部に対して位置ずれしにくくなり、または突出部が本体の内面に対して位置ずれしにくくなる。
【００３２】
本発明の外装体では、前記本体と、前記補助部材とが、同一の包装体の内部に納められて流通するものである。あるいは、前記本体と前記補助部材とが、別々の包装体に納められて流通するものであってもよい。
【００３３】
次に本発明の補助部材は、前身頃と、後身頃と、前記前身頃と前記後身頃との間に位置するクロッチ部と、腰天に形成された開口部と、少なくとも股間部よりも下の位置で脚部周りに装着される一対の股下部とを備えた外装体の本体に取り付けられて使用される補助部材において、
前記本体のクロッチ部の中央部に着脱自在に取り付けられる中間部と、前記中間部の左右両側に位置して、着用時に着用者の内股部に設置される一対の突出部とを有し、前記突出部の縦方向の寸法が、前記中間部の縦方向の寸法よりも長いことを特徴とするものである。
【００３４】
この場合も、少なくとも前記突出部にクッション材が設けられていることが好ましい。
【００３５】
また、前端側と後端側の少なくとも一方に、対を成す乗り上げ部が設けられており、前記対を成す乗り上げ部の対向間隔が、前記中間部の幅寸法よりも狭く形成されているものであってもよい。
【００３６】
前記本体内で外側に向けられる第２の表面は、液不透過性であることが好ましく、さらには、前記本体内で内側に向けられる第１の表面は、親水性であることが好ましい。
【００３７】
また、前記中間部に、肉厚部が設けられているものとして構成できる。
また、前記本体内で内側に向けられる第１の表面と、前記本体内で外側に向けられる第２の表面の少なくとも一方に、ずれ止め部が設けられているものであってもよい。
【００３８】
前記補助部材は、それ単体で流通することが可能であり、この補助部材を複数用意することで、外装体に取り付けられている補助部材が汚れたときなどに、新たな補助部材に交換して使用することができる。
【００３９】
【発明の実施の形態】
以下本発明の実施の形態を図面を参照して説明する。
【００４０】
以下の実施の形態では、体液吸収性物品の一例として、生理中の女性が股間部に当てて、経血を吸収させる生理用ナプキンについて説明する。また、外装体の一例として、前記生理用ナプキンの着用に適した生理用ショーツで、股下部に開口する脚ぐり部が身体の大腿部に位置するトランクス形状またはスパッツ形状の本体を備えたものとして説明する。ただし、本発明の体液吸収性物品は、尿失禁患者が使用する尿取りパッドなどであってもよい。また外装体の本体は、股下部が膝の部分または足首の部分まで延びたもの、さらに、前記股下部がレッグ部とこれに連続するフート部を有するパンティストッキング、またはタイツの形態とされたものを含む。
【００４１】
また、本発明では、前記生理用ショーツなどの外装体の本体に補助部材が着脱自在に取り付けられるが、前記本体に補助部材が取り付けられた状態で包装体に収納されて流通するもの、または本体と補助部材が同じ包装体に収納されて流通するもの、本体と補助部材が別々の包装体に収納されてセットとして流通するものであってもよい。あるいは、補助部材のみが本体とは別個の商品として単独で流通するものであってもよい。この場合、補助部材は主に取り替え用として使用される。
【００４２】
図１は前記生理用ショーツのショーツ本体１０を前身頃と後身頃とが接するように２つ折りした状態で示す正面図、図２は同じく２つ折りした状態を示す背面図、図３は前記生理用ショーツを身体に装着した立体形状となったものを前身頃側から示す斜視図、図４は同じく立体形状を後身頃側から示す斜視図、図５は生理用ショーツのクロッチ部を内側から示す部分斜視図、図６はクロッチ部を内側から示す平面図、図７は補助部材の斜視図、図８は図７のＶＩＩＩ−ＶＩＩＩ線の断面図、図９は身体に装着した状態のショーツ本体、補助部材および生理用ナプキンの変形状態を示す断面図である。
【００４３】
図１と図２に示すように、ショーツ本体１０は、２枚の腰当て布１１と１２が、前身頃１３において上下方向に延びる縫合線１５ａで縫合され、後身頃１４において縫合線１５ｂにより縫合されている。前記腰当て布１１と１２は、弾性伸縮性を有している。例えば、弾性伸縮性を有するポリウレタン繊維の糸と、肌にやさしい繊維であるナイロン繊維の糸とで形成された織布であり、例えばトリコットハーフ編みされた織布である。
【００４４】
前記前身頃１３と後身頃１４の上部が、腰天１６であり、この腰天１６に位置するウエスト開口部にウエストバンド１７が設けられている。このウエストバンド１７は、ポリウレタン繊維で形成された伸縮性織布、合成ゴムシート、天然ゴムシートなどで形成されている。
【００４５】
生理用ショーツの前記ショーツ本体１０のクロッチ部１８には、股布１９が取付けられている。この股布１９は、前記腰当て布１１，１２と同様に、ポリウレタン繊維とナイロン繊維で編まれた弾性伸縮自在な伸縮布により形成されている。図５に示すように、前記股布１９の両側部は折り返され、股布１９の折り返し部１９ａ，１９ａが縫合線２０において縫合されている。
【００４６】
前記股布１９の内側にはナプキン装着布２２が重ねられている。このナプキン装着布２２は、防水性で且つ通気性であり、好ましくは、弾性伸縮自在な素材で形成されている。具体的には、図５に示すように身体に向けられる内面に現れている生地が、ポリエステル繊維で鹿の子のニット編みとされた生地の裏面に透湿性フィルムがラミネートされたものである。そして前記透湿性フィルムが現れている裏面に、この透湿性フィルムを保護するために、ポリエステル繊維で形成されたトリコット生地が重ねられている。そして前記２つの生地は、前記ナプキン装着布２２の両側部の縫合線２２ａにより縫合されている。
【００４７】
なお、前記ナプキン装着布２２に防水機能を持たせずに、前記股布１９の内側に防水布を重ね合わせ、股布１９が防水性を有するように構成してもよい。
【００４８】
図５に示すように、前記股布１９と前記ナプキン装着布２２のそれぞれの前縁は、前記前身頃１３を形成する腰当て布１１，１２に対して前方縫合部２３において縫合されている。同様に、前記股布１９と前記ナプキン装着布２２のそれぞれの後縁は、前記後身頃１４を形成する腰当て布１１，１２に対して後方縫合部２４において縫合されている。また前記前方縫合部２３と後方縫合部２４との間では、股布１９とナプキン装着布２２が接合されていない。
【００４９】
前記前方縫合部２３と後方縫合部２４との間では、前記股布１９の前後方向の長さ寸法よりも、前記ナプキン装着布２２の前後方向の長さ寸法の方が若干長くなっている。よって、身体に装着したときに、前記ナプキン装着布２２が股間部に密着しやすい構造となっている。
【００５０】
前記股布１９の両側に、着用時に大腿部まわりに密着する脚ぐり部２５，２５が開口している。図５に示すように、前記脚ぐり部２５の周縁部では、前記腰当て布１１の縁部が折り返されて所定幅の折り返し部１１ａが形成され、また前記腰当て布１２の縁部が折り返されて所定幅の折り返し部１２ａが形成されている。この折り返し部１１ａ，１２ａは、縫合線２６ａ，２６ｂにより縫合されている。
【００５１】
前記生理用ショーツのショーツ本体１０では、前記腰当て布１１，１２が伸縮布により形成されているため、前記折り返し部１１ａ，１２ａの部分が脚ぐり部２５，２５回りのレッグバンドとなっている。また図５に示すように、股布１９の両側部も脚ぐり部２５，２５に現れているため、この股布１９の両側部の折り返し部１９ａ，１９ａもレッグバンドの一部として機能している。
【００５２】
このショーツ本体１０では、前記のように腰当て布１１，１２および股布１９を折り返すことによりレッグバンドが形成されているが、このレッグバンドを前記腰当て布１１，１２および股布１９と独立した弾性バンドで形成し、この弾性バンドを脚ぐり部２５，２５の周囲に取付けてもよい。
【００５３】
また後身頃１４の内側では、前記腰当て布１１，１２の縫合線１５ｂに沿って吊上げ弾性部材２８が縫い付けられている。この吊上げ弾性部材２８は、ポリウレタンバンド、天然ゴムバンド、合成ゴムバンドなどであり、この吊上げ弾性部材２８は後身頃１４の中央部分において上端がウエストバンド１７に連結されている。また吊上げ弾性部材２８の下端は、前記後側縫合部２４において前記股布１９の後縁と連結されている。
【００５４】
図３と図４は、前記生理用ショーツが身体へ装着された状態の立体形状を示している。ここでの立体形状とは、女性の標準体型のマネキン人形に生理用ショーツ１０を着用させた状態をいう。ここでの前記標準体型とは、ウエスト回りが６６ｃｍ、ヒップ回り９４ｃｍである。また股間部直下の大腿部回りの寸法は５６．５ｃｍである。
【００５５】
図３と図４に示すように、この生理用ショーツが身体に装着されたとき、股布１９の中央部が、身体の股間部側へ持ち上げられるため、脚ぐり部２５，２５は身体の股間部よりもやや下で大腿部回りに装着される。すなわち、装着時の股布１９の中央部から腰天１６までの股上丈をＬＡ、脚ぐり部２５の内股側の縁から腰天１６までの身丈をＬＢとしたときに、ＬＢがＬＡよりも大きく、前記股上丈ＬＡの１００に対して、身丈ＬＢが１１０〜２００の寸法比となっている。例えば、前記股上丈ＬＡは２００ｍｍ〜３００ｍｍ程度である。よって身丈ＬＢは、２２０〜６００ｍｍ程度である。
【００５６】
図３に示すように、前記身丈ＬＢと股上丈ＬＡとの差が股下丈Ｈである。このショーツ本体１０はトランクス形状であり、一対の脚ぐり部２５，２５が身体の股間部よりも下方において大腿部周りに位置している。前記股間部より下方に延びる縦方向の長さがＨの部分が一対の股下部２７，２７となっており、この股下部２７，２７の下に前記脚ぐり部２５，２５が開口している形状である。
【００５７】
ショーツ本体１０をトランクス形状とし、あるいはスパッツ形状とするには、前記股下部２７，２７の縦方向の長さ、すなわち前記股下丈Ｈが、最低でも３０ｍｍ以上必要であり、好ましくは４０ｍｍ以上である。その上限は、前記ＬＡに対してＬＢが２倍の場合、３００ｍｍ程度である。
【００５８】
このように、前記股下丈Ｈを大きくして前記股下部２７，２７を形成するためには、図５に示すように、ナプキン装着布２２の幅寸法Ｗｂよりも股下布１０の幅寸法Ｗａが十分に大きく、また、身体の股間幅に対し、股布１９の幅寸法Ｗａが十分に大きいことが必要である。なお、図６に示すように、前記ナプキン装着布２２の幅寸法は、前端部側がＷｂ１で、後端部側がＷｂ２であり、前記Ｗｂ２が前記Ｗｂ１よりもやや幅広となっている。
【００５９】
図５および図６に示すように、生理用ショーツの本体１０のクロッチ部１８において、股布１９とナプキン装着布２２との間の隙間内に、補助部材４０が着脱自在に取り付けられる。
【００６０】
図７および図８に示すように、前記補助部材４０は、前後方向に延びる中央線Ｏ−Ｏに対して左右対称形状である。前記補助部材４０は、クロッチ部１８において前記股布１９とナプキン装着布２２との間に挟まれる中間部４１と、その左右両側に位置して、前記股布２２から左右に突出する突出部４２，４２を有している。前記突出部４２，４２には、前記中間部４１よりも前方へ延びる前方挟持突部４２ａ，４２ａと、前記中間部４１よりも後方へ延びる後方挟持突部４２ｂ，４２ｂが一体に形成されている。
【００６１】
図７では、前記中間部４１の幅寸法をＷ２で示し、補助部材４０全体を前後方向に二分する中心部での前記補助部材４０の右側縁部４０ａと左側縁部４０ｂとの幅寸法をＷ１で示している。また、前記中間部４１での前後方向の長さ寸法をＬ２で示し、補助部材４０の前後方向の全長寸法、すなわち前方挟持突部４２ａの先端と後方挟持突部４２ｂの先端との距離をＬ１で示している。
【００６２】
図８に示すように、前記補助部材４０は、生理用ショーツのショーツ本体１０の内側に向けられる表面シート４５と、股布１９に向けられる裏面シート４６と、左右両側部において、前記表面シート４５と前記裏面シート４６との間に挟まれたクッション材４７，４７を有している。前記表面シート４５と前記裏面シート４６と前記クッション材４７，４７はホットメルト型の接着剤により接着されており、前記クッション材４７，４７が設けられていない領域において、前記表面シート４５と前記裏面シート４６はホットメルト型接着剤により接着されている。
【００６３】
図７に示すように、前記クッション材４７と４７の対向側の縁部４７ａと４７ａとの対向間隔Ｗ３は、前記中間部４１の幅寸法Ｗ２よりも小さくなっている。
【００６４】
前記表面シート４５は親水性であり、好ましくはこの表面シート４５が液吸収機能を有している。この液吸収機能を有する表面シート４５は、例えばコットン繊維のスパンレース不織布などで形成される。あるいは吸水機能を有する織布で形成されていてもよい。また補助部材４０の色彩としては少なくとも前記表面シート４５が白色などの淡色であることが好ましい。前記表面シート４５が淡色であれば、生理用ナプキンから経血が洩れて前記表面シート４５に付着した場合に発見し易いため、前記横洩れしたことを早期に知ることができる。
【００６５】
前記裏面シート４６は液遮断機能を有している。前記裏面シート４６を液遮断機能を有するものとして構成すると、生理用ナプキンから洩れた経血が補助部材４０に与えられたときに、経血を前記裏面シート４６で遮断することができ、経血でショーツ本体１０を汚すのを防止できる。
【００６６】
ただし、前記クッション材４７，４７が、例えばセル（気泡構造の最小単位）が小さいポリウレタンフォームのように、液を透過させ難いもので構成されている場合は、前記裏面シート４６が液遮断機能を有していなくてもよい。
【００６７】
また前記裏面シート４６は、着用者にむれによる不快感を与えないため、透湿機能を有していることが好ましい。ここで「透湿機能」とは、水蒸気を透過させる機能のことを指す。そのため、前記裏面シート４６は、無機フィラーを含んだ状態で延伸処理されて通気性が付与された樹脂フィルム、撥水処理されたスパンボンド不織布またはスパンレースなどの不織布、あるいは不織布の裏面に通気性の樹脂フィルムが接合されたものなどが使用される。また、公知の好適な生地の裏側に接着剤を介して液不透過性のフィルムを積層したものや、公知の好適な織布の裏面にフィルム用樹脂をコーティングして液不透過性の防漏フィルムの皮膜を形成したものも使用できる。
【００６８】
前記クッション材４７，４７は弾性を有する材料によって構成されることが好ましい。前記クッション材４７，４７を弾性を有するもので構成すると、身体の動きによる外力が与えられたときに、補助部材４０の突出部４２，４２が身体の内股部に密着した状態で前記身体の動きに追従しやすい。
【００６９】
前記クッション材４７，４７は、厚さ１ｍｍ程度のポリウレタンフォームやポリエチレンフォーム、ラバーフォームなどが挙げられる。または、エアースルー法やニードルパンチ法で製造された嵩高の不織布を使用することができる。
【００７０】
例えば前記エアースルー法で不織布を製造する場合は、鞘部がポリエチレンで、芯部がポリプロピレンあるいはポリエステルの芯鞘構造の複合合成繊維、または、ポリエチレンと、ポリプロピレンあるいはポリエステルのサイドバイサイド型の複合合成繊維で繊度が４〜１１ｄｔｅｘのものを目付けを１００〜３００ｇ／ｍ2に調整した後、熱風処理して繊維を融着させる。
【００７１】
また、ニードルパンチ法で不織布を製造する場合は、前記複合繊維、またはポリエチレン、ポリプロピレンあるいはポリエステルなどの単繊維、またはこれらとレーヨンなどで目付けが１００〜３００ｇ／ｍ2の繊維ウエッブを形成した後に、ニードルパンチで繊維を交絡させる。
【００７２】
あるいは前記クッション材４７，４７が、前記発泡材料や前記不織布を組合せたものであってもよいし、通常の樹脂フィルムや弾性が小さい不織布と、前記発泡材料や弾性を有する前記不織布とを積層させたものであってもよい。
【００７３】
なお、前記クッション材４７，４７がレーヨンなどの親水性繊維を含むものである場合に、クッション材４７，４７が液吸収機能を発揮できる。また、クッション材４７，４７として、コットンやレーヨンなどの親水性繊維の層を用いることによっても液吸収機能を発揮できる。このような場合、表面シート４５に与えられた経血がクッション材４７，４７で吸収されるようになる。
【００７４】
前記表面シート４５、裏面シート４６を織布で形成し、さらにクッション材４７，４７をポリウレタンフォームなどで形成したものは、経血で汚されたときに、洗濯をすることにより再利用が可能である。また、前記表面シート４５や前記裏面シート４６を不織布や樹脂フィルムなどで形成し、クッション材４７，４７を発泡材料や不織布で形成した補助部材４０は安価で構成できるため、補助部材４０が経血で汚れたときに廃棄して、新たな補助部材４０に交換して使用することが可能である。
【００７５】
図７に示す形状の補助部材４０を用いる場合、前記中間部４１の幅寸法Ｗ２は、前記ナプキン装着布２２の幅寸法Ｗｂとほぼ同じであることが好ましく、実際の幅寸法は５０〜８０ｍｍの範囲であることが好ましい。前記幅寸法Ｗ２を前記幅寸法Ｗｂとほぼ同じにしておくと、前記股布１９と前記ナプキン装着布２２との隙間内に前記中間部４１を安定した状態で挟持させることができる。
【００７６】
また、前記クッション材４７，４７の対向側の縁部４７ａと４７ａとの間隔Ｗ３は前記中間部４１の幅寸法Ｗ２よりも短いことが好ましく、例えばＷ３は３０〜６０ｍｍの範囲である。前記範囲内であると、生理用ナプキンがナプキン装着布２２の上に装着されたときに、生理用ナプキンとクッション材４７，４７との間に重なり領域を設けることができ、前記クッション材４７，４７によって生理用ナプキンを股間部に押し付けることができる。
【００７７】
前記補助部材４０の前後を二分する中心部での幅寸法Ｗ１は１００〜２８０ｍｍの範囲であることが好ましい。前記幅寸法Ｗ１が１００ｍｍ未満であると、図９に示す装着状態において前記突出部４２，４２が身体の内股部に密着できず、補助部材４０の突出部４２，４２による横洩れ防止機能を充分に発揮できない。前記幅寸法Ｗ１が２８０ｍｍよりも大きいと、補助部材４０の突出部４２，４２が着用者の内股部に密着する面積が大きくなりすぎて、着用者にむれや違和感を与えやすい。
【００７８】
また、補助部材４０の幅寸法Ｗ１は、ショーツ本体１０の股布１９の幅寸法Ｗａ以下であることが好ましい。Ｗ１をＷａ以下とすることにより、着用時に補助部材４０がショーツ本体１０からはみ出るのを防止できる。また、補助部材４０の両側縁部４０ａ，４０ｂは、前記脚ぐり部２５，２５からはみ出さないように、凹曲線形状であることが好ましい。ただし前記両側縁部４０ａ，４０ｂは前記脚ぐり部２５，２５からはみ出さない限りにおいて直線形状であってもよいし、あるいは凸曲線形状であってもよい。
【００７９】
また、前記突出部４２，４２の幅寸法Ｗ４は２５〜１００ｍｍの範囲が好ましい。前記幅寸法Ｗ４が２５ｍｍ未満であると、図９に示す着用状態において、前記突出部４２，４２が着用者の内股部に密着する面積が小さくなりすぎて経血の洩れを防止する機能が低下する。また、前記幅寸法Ｗ４が１００ｍｍよりも大きいと、前記突出部４２，４２が着用者の内股部に密着する面積が大きくなりすぎて、着用者にむれや違和感を与えやすくなる。
【００８０】
前記補助部材４０の中間部４１の前後方向の長さ寸法Ｌ２は、図５に示すナプキン装着布２２の長さ寸法、すなわち股布１９とナプキン装着布２２との隙間の前後方向の長さ寸法よりも短く、前記寸法Ｌ２は９０〜２００ｍｍの範囲であることが好ましい。前記長さ寸法Ｌ２が９０ｍｍ未満であると前記隙間内に安定した状態で装着し難くなる。また、前記長さ寸法Ｌ２が２００ｍｍよりも長いと前記隙間内に安定して収まらなくなる。
【００８１】
前記補助部材４０の前後方向の全長寸法Ｌ１は、前記隙間の前後方向の長さ寸法よりも大きいことが必要であり、前記長さ寸法Ｌ１は１００〜３００ｍｍの範囲であることが好ましい。前記長さ寸法Ｌ１が１００ｍｍ未満であると前記隙間内で補助部材４０を安定して保持できず、前記長さ寸法Ｌ１が３００ｍｍを越えると、前記突出部４２，４２が着用者の内股部に密着する面積が大きくなりすぎて、着用者にむれや違和感を与えやすくなる。
【００８２】
図５では生理用ナプキン５０が斜視図で示され、図９では生理用ナプキン５０が断面図で示されている。生理用ナプキン５０は、本体部５３の中央部分の液吸収領域５１が設けられ、両側部にはウイング部５２，５２が突出形成されている。
【００８３】
図９に示すように、生理用ナプキン５０は、通気性樹脂フィルムなどの液不透過性シートで形成された裏面シート５４の上に液吸収層５５が設けられ、その表面に液透過孔を有する樹脂フィルムや親水性の不織布などの液透過性シートで形成された表面シート５６が設けられている。
【００８４】
この生理用ショーツを着用する際には、図６に示すように、前記補助部材４０を、股布１９とナプキン装着布２２との隙間内に装着する。補助部材４０は、その中間部４１が、前記股布１９とナプキン装着布２２との間に挟まれた状態で、突出部４２，４２がナプキン装着布２２の左右両側へ露出した状態に設置される。このとき、突出部４２，４２の前方挟持突部４２ａ，４２ａがクロッチ部１８の前方縫合部２３よりも前方へ突出し、後方挟持突部４２ｂ，４２ｂがクロッチ部１８の後方縫合部２４よりも後方へ突出して、前記前方挟持突部４２ａと４２ａとでナプキン装着布２２が挟まれ、且つ前記後方挟持突部４２ｂと４２ｂとでナプキン装着布２２が挟まれた状態となる。補助部材４０は、この状態で股布１９とナプキン装着布２２との間で安定して保持される。
【００８５】
図５および図９に示すように、前記生理用ナプキン５０は、ナプキン装着布２２の内側に設置される。このとき一般には、生理用ナプキン５０の裏面シート５４の表面に設けられた感圧接着剤層を介して生理用ナプキン５０がナプキン装着布２２の内面に固定される。また図９に示すように、ウイング部５２，５２がナプキン装着布２２の左右両側部で折り曲げられて、ウイング部５２，５２がナプキン装着布２２の裏側に巻き付けられ、ウイング部５２，５２が感圧接着剤層などによりナプキン装着布２２の裏面に固定される。
【００８６】
ここで、前記補助部材４０のクッション材４７，４７の縁部４７ａと４７ａとの間隔Ｗ３は、前記ナプキン装着布２２の幅寸法Ｗｂよりも短く、前記幅寸法Ｗｂは生理用ナプキン５０の本体部５３の幅寸法にほぼ一致している。そのため、生理用ナプキン５０がナプキン装着布２２に装着された状態で、液吸収層５５を備えている本体部５３と、補助部材４０のクッション材４７，４７とが一部重なるようになる。
【００８７】
図９は、前記補助部材４０および生理用ナプキン５０が取り付けられた生理用ショーツを着用した状態を示している。図９では人体の大腿部を６１で示し、股間部を６２で示し、会陰部を６３で示している。
【００８８】
図９に示すように、この生理用ショーツのショーツ本体１０はクロッチ部１８において股布１９の幅寸法Ｗａが大きいために股間部よりも下方に延びる前記股下部２７，２７が形成されて、脚ぐり部２５，２５は股間部６２よりも下方において大腿部６１，６１の周りに装着される。そして、前記補助部材４０は、クッション材４７，４７が設けられている部分で曲げられ、突出部４２，４２が大腿部６１，６１の内股部６１ａ，６１ａに当てられる。ショーツ本体１０の脚ぐり部２５，２５が弾性伸縮性を有しているため、前記補助部材４０，４０の突出部４２，４２は、前記脚ぐり部２５，２５の弾性伸縮力により内股部６１ａ，６１ａに密着する。
【００８９】
また、補助部材４０はショーツ本体１０に固定されておらず、股布１９とナプキン装着布２２との間で挟まれた状態であるため、補助部材４０はショーツ本体１０のクロッチ部１８に対して若干の自由度を有している。よって、ショーツ本体１０を着用したときに、補助部材４０を装着安定性を損なわない範囲で動かして最適な位置に装着することができる。すなわち、ショーツ本体１０および生理用ナプキン５０を着用したときに、生理用ナプキン５０から横洩れの不安を感じる場所が、体型、姿勢や運動などのそのときの生活パターンにより相違する。しかし前記補助部材４０をショーツ本体１０内の最適な位置に設置することで、前記横洩れの不安を解消できる。
【００９０】
また、補助部材４０のクッション材４７，４７が生理用ナプキン５０の本体部５３と重なった状態で股間部６２に設置されるため、内股部６１ａから股間部６２にかけて補助部材４０および生理用ナプキン５０が柔らかく当たるようになり、内股部６１ａ，６１ａと股間部６２に違和感を生じさせにくい。
【００９１】
ショーツ本体１０は全体が弾性伸縮性を有する素材で形成されているため、生理用ナプキン５０は伸縮力を受けて股間部６２に密着させられる。ここで、生理用ナプキン５０の液吸収層５５で吸収しきれなかった経血が横洩れして、内股部６１ａ，６１ａに伝わったとしても、補助部材４０の突出部４２，４２が内股部６１ａ，６１ａに密着しているため、経血は突出部４２，４２の部分で受け止められ、好ましくは補助部材４０，４０の表面シート４５に吸収される。よって、脚ぐり部２５，２５から生理用ショーツ外部への経血の洩れを防止できる。
【００９２】
また、補助部材４０が経血で汚れた場合に、この補助部材４０をショーツ本体１０から外してきれいなものに交換することができ、また補助部材４０を洗濯することが可能である。また経血の排泄量が少ないときは、補助部材４０を外して着用することができる。この場合に、薄型の生理用ナプキン５０が使用されるが、身体の内股部６１ａ，６１ａから股間部６２に補助部材４０が存在しないため、装着感が良好になる。
【００９３】
さらに、本発明の前記ショーツ本体１０の内側に、他の生理用ショーツまたは通常のショーツを重ねて着用することも可能である。その場合に、例えば、これら他のショーツのクロッチ部の内側に生理用ナプキンを装着し、さらにショーツ本体１０の股布１９とナプキン装着布２２との間に補助部材４０を取り付けて前記他のショーツの上に着用することもできる。この場合に、生理用ナプキンから経血の横洩れがあったとしても前記補助部材４０により止めることができ、経血が外側に着用しているショーツ本体１０の外部へ洩れるのを防止できる。
【００９４】
あるいは、内側に着用する他の生理用ショーツのクロッチ部の内側に補助部材４０を装着し、さらにその内側に生理用ナプキンを設置してこの他の生理用ショーツを着用し、その上から前記ショーツ本体１０を着用してもよい。
【００９５】
図１０は参考例として生理用ショーツに用いられる補助部材を示す斜視図、図１１は図１０のＸＩ−ＸＩ線の断面図、図１２は前記補助部材が生理用ショーツのショーツ本体１０のクロッチ部１８に装着された状態をショーツの内側から示す平面図である。
【００９６】
前記補助部材１４０は、中間部１４１および左右両側の突出部１４２，１４２を有している。
【００９７】
補助部材１４０の右側縁部１４０ａおよび左側縁部１４０ｂは、前記ショーツ本体１０の脚ぐり部２５，２５の形状と一致しており、前後方向へ二分する中心での右側縁部１４０ａと左側縁部１４０ｂとの間の幅寸法Ｗ１は図７に示す実施の形態での幅寸法Ｗ１と同じである。また、中間部１４１の幅寸法Ｗ３も、図７に示した実施の形態での幅寸法Ｗ３と同じである。
【００９８】
また、補助部材１４０の前端部１４０ｃから後端部１４０ｄまでの縦方向の長さ寸法Ｌ３は、図７に示した実施の形態での中間部４１の縦方向の長さ寸法Ｌ２とほぼ一致しており、すなわち前記長さ寸法Ｌ２は、ショーツ本体１０の股布１９とナプキン装着布２２との隙間の前後方向の長さ寸法と同じか、またはそれよりもわずかに短くなっている。
【００９９】
前記補助部材１４０は、前端部１４０ｃから後方へ切り込まれた一対の切り込み部１５１，１５１が形成されている。この切り込み部は前記前端部１４０ｃから後方へ向かうにしたがって間隔が徐々に広がるように形成されており、切り込み部１５１，１５１の末端部１５１ａと１５１ａの間隔は、前記中間部１４１の幅寸法Ｗ３に一致している。
【０１００】
前記突出部１４２，１４２の前端部には、前記切り込み部１５１，１５１によって中間部１４１から分離された前方挟持突部１４２ａ，１４２ａが形成されている。補助部材１４０の前端部１４０ｃにおいて前記前方挟持突部１４２ａと１４２ａとの間隔Ｗ５は前記幅寸法Ｗ３よりも短くなっている。その結果、前記前方挟持突部１４２ａと１４２ａには、乗り上げ部１４２ｃ，１４２ｃが形成されている。
【０１０１】
補助部材１４０の後端部１４０ｄの構造も同じであり、後端部１４０ｄから前方に向けて一対の切り込み部１５２，１５２が前方に向かうにしたがって間隔が徐々に広がるように形成されている。その結果、突出部１４２，１４２の後方部分の後方挟持突部１４２ｂ，１４２ｂが形成されており、後方挟持突部１４２ｂ，１４２ｂの間隔がＷ５となるように形成されている。また前記後方挟持突部１４２ｂ，１４２ｂには、乗り上げ部１４２ｄ，１４２ｄが形成されている。
【０１０２】
図１２に示すように、前記補助部材１４０は、生理用ショーツのショーツ本体１０の股布１９とナプキン装着布２２との間に挟まれる。このとき突出部１４２，１４２がナプキン装着布２２よりも左右両側へ突出するが、切り込み部１５１，１５１で分離された前方挟持突部１４２ａ，１４２ａの乗り上げ部１４２ｃ，１４２ｃをナプキン装着布２２の上に乗せ、切り込み部１５２，１５２で分離された後方挟持突部１４２ｂ，１４２ｂの乗り上げ部１４２ｄ，１４２ｄをナプキン装着布２２の上に載せる。その結果、補助部材１４０は生理用ショーツのショーツ本体１０のクロッチ部１８に離脱することなく保持させることができる。
【０１０３】
図１１に示すように、この補助部材１４０は、液不透過性の裏面シート１４６と、吸水性の表面シート１４５を有している。補助部材１４０の左右両側の突出部１４２，１４２では、前記裏面シート１４６と表面シート１４５との間に、クッション材１４７，１４７が挟まれている。このクッション材１４７，１４７は、図８に示した実施の形態のクッション材４７，４７と同じ材質で同じ厚みで形成されたものである。生理用ショーツを装着したときに、前記クッション材１４７，１４７を有する前記突出部１４２，１４２が身体の内股部に当接する。
【０１０４】
また、補助部材１４０の中間部１４１には肉厚部１４８が設けられている。図１１に示すように、前記肉厚部１４８では、裏面シート１４６と表面シート１４５との間に中央クッション材１４９が設けられている。
【０１０５】
前記中央クッション材１４９は、ポリウレタンフォームやポリエチレンフォームなどの連続気泡フォームなどが好ましく使用される。「連続気泡フォーム」は、フォームを構成するセルが相互に通じ合っている構造のフォームである。前記中央クッション材１４９を連続気泡フォームで構成すると、前記肉厚部１４８に透湿性を付与することができるため着用者に快適な着用感を与えることができる。また、吸水機能を有するため、生理用ナプキン５０から経血が漏れた場合でも表面シート１４５および中央クッション材１４９によって前記経血を吸収保持することができる。
【０１０６】
前記肉厚部１４８での補助部材１４０全体の厚さ寸法ｈ１は、５〜１５ｍｍの範囲であることが好ましい。前記範囲未満であると着用者の股間部に生理用ナプキンを密着し難くなる。また前記範囲よりも大きいと着用者に違和感を与えることになるため、快適な着用感を得ることができない。また、肉厚部１４８の幅寸法Ｗ６は２０〜５０ｍｍの範囲が好ましい。この範囲であれば、生理用ナプキンの中央部分を股間部に押し付けるように機能させることができる。
【０１０７】
前記補助部材１４０を用いると、生理用ショーツを着用したときに、補助部材１４０の肉厚部１４８が生理用ナプキン５０の中央部を股間部に押し付けるように機能し、生理用ナプキン５０と股間部との密着性を高めることができる。
【０１０８】
なお、前記肉厚部１４８は補助部材１４０を前後に二分する中心部から前後に延びるように形成してもよいが、前記肉厚部１４８を補助部材１４０において後方に設け、また幅寸法Ｗ６を５〜３０ｍｍ程度の細いものにして、前記肉厚部１４８で生理用ナプキンを肛門付近および臀部の溝内に押し付けるようにしてもよい。このように構成すると、生理用ナプキンとの後方部分と身体との密着性を高くでき、経血の後ろ洩れを防止できる。
【０１０９】
さらに、前記補助部材１４０では、左右両側の突出部１４２，１４２において表面シート１４５の表面に多数のずれ止め部１５３が設けられている。このずれ止め部１５３は、前記突出部１４２，１４２の表面において前後方向に間隔を開けて並ぶように配置されている。ずれ止め部１５３は、前記突出部１４２，１４２の表面にゴム、または合成樹脂を付着させて形成したものであり、前記ゴムや合成樹脂が、ドット状に配列している。１つのずれ止め部１５３は直径が２ｍｍ程度の円形であり、これが縦方向に間隔を開けて並んでいる。またはずれ止め部１５３が縦方向に間隔を開けて列を成し、これを複数列配列していてもよい。また、ずれ止め部は四角形状などであってもよい。
【０１１０】
また、前記ずれ止め部は、前後方向に延びる帯状に形成され、それぞれの突出部１４２に帯状のずれ止め部が１本または複数本ずつ設けられていてもよい。または前記ずれ止め部は、帯状のものが格子状などのパターンで形成されているものであってもよい。ただし、前記ずれ止め部１５３は、前記突出部１４２，１４２の表面側の面積の５０％以下を占めるように形成されていることが好ましい。５０％よりも大きいと、突出部１４２，１４２の透湿機能を阻害して着用者にむれ感を与え、また着用者の内股部にかぶれなどを生じさせるおそれがある。
【０１１１】
この補助部材１４０を生理用ショーツのショーツ本体１０のクロッチ部１８に取り付けて身体に着用すると、図９に示すような着用状態において、補助部材１４０の両側の突出部１４２，１４２が、ずれ止め部１５３を介して身体の内股部６１ａ，６１ａに当接する。よって着用状態で身体を動かしても、股間部６２において補助部材１４０が不用意にずれることがなく、突出部１４２，１４２が常に生理用ナプキン５０の両側に位置する状態を維持できる。
【０１１２】
なお、前記ずれ止め部１５３を補助部材１４０の裏面シート１４６の表面に設けることができる。この場合、補助部材１４０が生理用ショーツのショーツ本体１０の内側で位置ずれしにくくなる。なお、この場合には、ずれ止め部として前記裏面シート１４６の表面に感圧接着剤層を設けて、補助部材１４０をショーツ本体１０の内面に固着して使用することも可能である。
【０１１３】
図１３は参考例を示し、図１４は他の実施の形態を示している。
図１３に示す補助部材１４０Ａは、前端部１４０ｃに対を成す切り込み部１５１，１５１とさらにその内側に位置して対を成す切り込み部１５４，１５４が設けられている。同様に後端部１４０ｄにおいても、対を成す切り込み部１５２，１５２と、そのの内側に位置する対を成す切り込み部１５５，１５５が設けられている。
【０１１４】
この参考例では、生理用ショーツのショーツ本体１０の装着布２２の幅寸法Ｗｂが異なるものであっても、いずれかの切り込み部を選択することにより、補助部材１４０Ａをクロッチ部１８に設置できる。すなわち大きさの相違するショーツ本体１０に対して同じ補助部材１４０Ａを共通に使用することができる。
【０１１５】
図１４に示す実施の形態の補助部材１４０Ｂは、前記突出部１４２，１４２の乗り上げ部１４２ｃと１４２ｃとの間の部分を削除し、同様に乗り上げ部１４２ｄ，１４２ｄとの間の部分を削除した形状である。
【０１１６】
この補助部材１４０Ｂも、図１２と同様に、中間部１４１を、股布１９とナプキン装着布２２との間に挟み、乗り上げ部１４２ｃ，１４２ｃおよび乗り上げ部１４２ｄ，１４２ｄをナプキン装着布２２の上に乗り上げさせることにより、クロッチ部１８に固定することができる。
【０１１７】
この場合に、補助部材１４０Ｂの縦方向の寸法Ｌ４が、ショーツ本体１０の股布１９とナプキン装着布２２との隙間の前後方向の長さ寸法と同じか、またはそれよりもわずかに短いものであればよい。この場合、図１２に示したのと同様に、中間部１４１が前記股布１９とナプキン装着布２２とで挟まれた状態で、乗り上げ部１４２ｃ，１４２ｃおよび乗り上げ部１４２ｄ，１４２ｄをナプキン装着布２２の上に乗り上げさせることができる。
【０１１８】
または、図１４に示す実施の形態において、中間部１４１の縦方向の長さ寸法Ｌ５が、ショーツ本体１０の股布１９とナプキン装着布２２との隙間の前後方向の長さ寸法と同じか、またはそれよりもわずかに短いものであってもよい。この場合、中間部１４１が前記股布１９とナプキン装着布２２とで挟まれた状態で、乗り上げ部１４２ｃ，１４２ｃが、前方縫合部２３よりも前方において前身頃１３の内面に当たり、乗り上げ部１４２ｄ，１４２ｄが後方縫合部２４よりも後方で後身頃１４の内面に当たるようになる。これによっても補助部材１４０Ｂを確実に保持させることが可能である。
【０１１９】
なお、前記補助部材の構造として、前端部と後端部のいずれか一方に図７に示すような挟持突起４２ａ，４２ａまたは４２ｂ，４２ｂを形成し、他方の端部に図１０に示すような切り込み部１５１，１５１または１５２，１５２を設けたものであってもよい。
【０１２０】
または、補助部材がほぼ四角形のものであり、股布１９とナプキン装着布２２との間に単純に挟まれて保持されるものであってもよい。
【０１２１】
以上説明したショーツ本体１０およびいずれかの構造の前記補助部材は、同一の包装体に収納されて流通することが好ましい。ただし、前記補助部材のみが交換用として別体で流通するものであってもよい。
【０１２２】
また前記ショーツ本体１０の構造としては、脚ぐり部２５，２５が膝上まで延びるスパッツタイプや、脚ぐり部２５，２５の下に足首の位置まで延びるレッグ部が延長しているものであってもよい。またレッグ部の先部にフート部が一体に形成されたパンティストッキングやタイツのような構造であってもよい。
【０１２３】
【発明の効果】
以上のように本発明の外装体では、補助部材が本体部の股布と装着布との間に挟まれて保持されるため、補助部材を身体の股間部の最適な位置に設置できる。この補助部材が身体の内股部に接触することにより、体液吸収性物品から横洩れした液を補助部材により止めることができ、液が外装体の外部に突出するのを防止できる。また、補助部材を交換して使用したり、補助部材を単独で洗濯することなども可能である。
【図面の簡単な説明】
【図１】本発明の実施の形態として生理用ショーツを二つ折りにした状態を示す正面図、
【図２】生理用ショーツを二つ折りにした状態を示す背面図、
【図３】前記生理用ショーツを着用状態の立体形状としたときの正面斜視図、
【図４】同じく立体形状としたときの背面斜視図、
【図５】ショーツ本体のクロッチ部と補助部材と生理用ナプキンを内側から示す部分斜視図、
【図６】ショーツ本体のクロッチ部に補助部材が取り付けられた状態を示す部分平面図、
【図７】補助部材の斜視図、
【図８】図７のＶＩＩＩ−ＶＩＩＩ線の断面図、
【図９】ショーツ本体と補助部材と生理用ナプキンが股間部に装着された状態を示す断面図、
【図１０】参考例として補助部材を示す斜視図、
【図１１】図１０のＸＩ−ＸＩ線の断面図、
【図１２】ショーツ本体のクロッチ部に図１０に示す補助部材が装着された状態を示す平面図、
【図１３】参考例として補助部材を示す斜視図、
【図１４】他の実施の形態の補助部材を示す斜視図、
【符号の説明】
１０  ショーツ本体
１３  前身頃
１４  後身頃
１７  ウエストバンド
１８  クロッチ部
１９  股布
２１  防水布
２２  ナプキン装着布
２５  脚ぐり部
２７  股下部
４０  補助部材
４１  中間部
４２  突出部
４７  クッション材
５０  生理用ナプキン
５２  ウイング部
６１  大腿部
６１ａ  内股部
６２  股間部
１４０，１４０Ａ，１４０Ｂ  補助部材
１４１  中間部
１４２  突出部
１４２ｃ，１４２ｄ  乗り上げ部
【図１】
0004009089.tif 000002
【図２】
0004009089.tif 000003
【図３】
0004009089.tif 000004
【図４】
0004009089.tif 000005
【図５】
0004009089.tif 000006
【図６】
0004009089.tif 000007
【図７】
0004009089.tif 000008
【図８】
0004009089.tif 000009
【図９】
0004009089.tif 000010
【図１０】
0004009089.tif 000011
【図１１】
0004009089.tif 000012
【図１２】
0004009089.tif 000013
【図１３】
0004009089.tif 000014
【図１４】
0004009089.tif 000015